(57)【特許請求の範囲】
【請求項１】
床パンの裏面側の補強リブに取付ける雑排水管固定金具構造において、補強リブには、床パン裏面の外周部に設けられる外周部の補強リブと、その内側に多数格子状に設けられる内側の補強リブとが在り、雑排水管固定金具は、補強リブに取り付けられる吊り部を有する固定金具本体と、雑排水管を括るように配設されて同固定金具本体にネジをねじ込むことにより固定される固定バンド部とを備え、固定金具本体の吊り部を三つ設けると共にこの三つの吊り部を折曲げ可能にし、固定バンド部を固定金具本体に固定するネジを横方向からねじ込み可能とし、吊り部を格子状に設けられる内側の補強リブの一方向のものに取付ける際に、この一方向の内側の補強リブと交差する他方向の内側の補強リブに当たる邪魔な吊り部を折り曲げて取付けることを特徴とする雑排水管固定金具構造。
【請求項２】
固定金具本体の吊り部には複数個の取付部固定孔が設けて成ることを特徴とする請求項１記載の雑排水管固定金具構造。
【発明の詳細な説明】
【０００１】
【発明の属する技術分野】
本発明は、バリアフリーの床パンの裏面側の補強リブに取付ける雑排水管固定金具構造に関するものである。
【０００２】
【従来の技術】
従来、雑排水管固定金具構造は、下側から電気ドリルでネジ止めしてＶＰ管をバンドで固定するものが知られている。
【０００３】
しかし、バリアフリー化が進んだ現在は、図３に示すように、躯体３２と床パン３１との間の高さが低くなった為、電気ドリルを使って雑排水管を取付けするスペースが無くなり、図４に示すように、下側から蝶ボルト３７を手で締めるようにして、雑排水管３３をサドルバンド部３６で取付部３５に取り付けられるようになったものである。
【０００４】
従来、雑排水管３３は、床パン裏面の補強リブ４０に雑排水管固定金具３４を介して取り付けられている。図４に示すように、補強リブ４０には取付部３５とサドルバンド部３６とからなる雑排水管固定金具３４により雑排水管３３が取り付けられている。取付部３５は補強リブ４０にボルト及びナット（図示せず）により取り付けられており、取付用の孔３９が複数個設けて有る。サドルバンド部３６は雑排水管３３を括るようにして配設され、下側から蝶ボルト３７によりサドルバンド部３６の取付孔を介して、取付部３５のサドルバンド取付用の雌ネジ部３８に手で締めて取り付けられているものである。
【０００５】
しかし、バリアフリー化に伴って、出入口の段差を無くす為にドア下に補強桟を設けている関係で、床パン裏面の補強リブ４０に雑排水管固定金具３４を取付けるスペースが無くなり、雑排水管固定金具３４の取付が難しくなった。ドアの段差が低くなるほど、補強を下部の床パン側に突き出して取付けなくてはならず、逆梁対応のためにリブの高さに制約があるので床パン裏面の外周部の補強リブ部には雑排水管固定金具を取付けることができなくなり、床パン内部の補強リブ部に取付けしなくてはならない。しかしながら、床パン内部の補強リブは多数設けられているため、雑排水管固定金具の取付部の脚部が補強リブに当たる可能性が有るものである。
【０００６】
【発明が解決しようとする課題】
以上に述べた従来の雑排水管固定金具構造の問題点は、バリアフリー化により躯体と床パンとの間の高さが低くなった為、電気ドリルを使えるスペースが無く、また、出入口の段差を無くす為、ドア下に補強桟を設けている関係で雑排水管固定金具の取付けが床パン内部の補強リブへの取付けとなり難しくなるというものであった。
【０００７】
本発明においては、このような従来の雑排水管固定金具構造が有していた問題を解決することが要求されている。本発明が解決しようとする課題は、バリアフリーの床パンで躯体との間の寸法が小さくても横方向からの取付けができると共に床パン裏面の内側の補強リブにも簡便に取付けができる雑排水管固定金具構造を提供するものである。
【０００８】
【課題を解決するための手段】
本発明の請求項１記載の雑排水管固定金具構造は、バリアフリーの床パンの裏面側の補強リブに取付ける雑排水管固定金具構造において、補強リブには、床パン裏面の外周部に設けられる外周部の補強リブと、その内側に多数格子状に設けられる内側の補強リブとが在り、雑排水管固定金具は、補強リブに取り付けられる吊り部を有する固定金具本体と、雑排水管を括るように配設されて同固定金具本体にネジをねじ込むことにより固定される固定バンド部とを備え、固定金具本体の吊り部を三つ設けると共にこの三つの吊り部を折曲げ可能にし、固定バンド部を固定金具本体に固定するネジを横方向からねじ込み取付可能とし、吊り部を格子状に設けられる床パン裏面の内側の補強リブの一方向のものに取付ける際に、この一方向の内側の補強リブと交差する他方向の内側の補強リブに当たる邪魔な吊り部を折り曲げて取付けることを特徴とするものである。
【０００９】
したがって、バリアフリータイプの床パンでも横方向からの雑排水管の取付けが可能で、床パン裏面の内側の補強リブに対応して取付けが可能で、補強リブに当たる邪魔な吊り部を折り曲げて取付けることができ、施工が簡便にできる。
【００１０】
本発明の請求項２記載の雑排水管固定金具構造は、請求項１記載の固定金具本体の吊り部には複数個の取付部固定孔が設けて成ることを特徴とするものである。
【００１１】
したがって、雑排水管を排水勾配に対応して補強リブに取付けることができる。
【００１２】
【発明の実施の形態】
（実施形態１）
実施形態１の雑排水管固定金具構造は、バリアフリータイプの床パンでも横方向からの雑排水管の取付けが可能で、床パン裏面の内側の補強リブへの取付けが可能なものである。
【００１３】
図１に示すように、床パン１の裏面側の補強リブ２（９）に取付ける雑排水管固定金具３構造において、補強リブ２には、床パン１裏面の外周部に設けられる外周部の補強リブ２と、その内側に多数格子状に設けられる内側の補強リブ９とが在り、雑排水管固定金具３は、補強リブ２（９）に取り付けられる吊り部５を有する固定金具本体（取付部４）と、雑排水管１１を括るように配設されて同固定金具本体（取付部４）にネジ７をねじ込むことにより固定される固定バンド部６とを備え、固定金具本体（取付部４）の吊り部５を三つ設けると共にこの三つの吊り部５を折曲げ可能にし、固定バンド部６を固定金具本体（取付部４）に固定するネジ７を横方向からねじ込み可能とし、吊り部５を格子状に設けられる内側の補強リブ９の一方向のものに取付ける際に、この一方向の内側の補強リブ９と交差する他方向の内側の補強リブ９に当たる邪魔な吊り部５を折り曲げて取付けることができる。
【００１４】
図２に示すように、バリアフリー化に伴って、出入口の段差を無くす為にドア下にドア補強桟８を設けている関係で、床パン１裏面の補強リブ２に雑排水管固定金具３を取付けるスペースが無く、雑排水管固定金具３の取付が難しくなっている。ドアの段差が低くなるほど、ドア補強桟８を下部の床パン１側に突き出して取付けなくてはならず、床パン１裏面の外周部の補強リブ２には雑排水管固定金具３を取付けることができなくなり、床パン１の内側の補強リブ９に取付けしなくてはならない。しかしながら、床パン１の内側の補強リブ９は多数設けられているため、雑排水管固定金具３の取付部４の吊り部５が内側の補強リブ９に当たる可能性が有るものである。
【００１５】
そこで、固定金具本体（取付部４）の吊り部５を三つ設けると共にこの三つの吊り部５を折曲げ可能にし、固定バンド部６を固定金具本体（取付部４）に固定するネジ７を横方向からねじ込み可能とし、吊り部５を格子状に設けられる内側の補強リブ９の一方向のものに取付ける際に、この一方向の内側の補強リブ９と交差する他方向の内側の補強リブ９に当たる邪魔な吊り部５を折り曲げて取付けることにより、内側の補強リブ９に当たることなく簡便に、雑排水管固定金具３を床パン１裏面の内側の補強リブ９に取付けることができる。
【００１６】
上記のように、本実施形態１の雑排水管固定金具構造によれば、バリアフリータイプの床パンでも横方向からの雑排水管の取付けが可能で、床パン裏面の内側の補強リブに対応して取付けが可能で、補強リブに当たる邪魔な吊り部を折り曲げて取付けることができ、施工が簡便にできるものである。
【００２１】
【発明の効果】
以上のように本発明によれば、バリアフリータイプの床パンでも横方向からの雑排水管の取付けが可能で、床パン裏面の内側の補強リブに対応して取付けが可能で、固定金具本体の吊り部を三つ設けると共にこの三つの吊り部を折曲げ可能にしているため、補強リブに当たる邪魔な吊り部を折り曲げて取付けることができ、施工が簡便にできる。
【図面の簡単な説明】
【図１】  本発明の実施形態１による雑排水管固定金具構造を示す正面図である。
【図２】  本発明の実施形態１による雑排水管固定金具構造を示し、（ａ）は側面図で、（ｂ）は上面図で、（ｃ）は正面図である。
【図３】  従来の雑排水管固定金具構造による取付状態を示す正面図である。
【図４】  従来の雑排水管固定金具構造を示す正面図である。
【符号の説明】
１      床パン
２      補強リブ
３      雑排水管固定金具
４      固定金具本体（取付部）
５      吊り部
６      固定バンド部
７      ネジ
８      ドア補強
９      内側の補強リブ
１０    取付部固定孔
１１    雑排水管
【図１】
0004201530.tif 000002
【図２】
0004201530.tif 000003
【図３】
0004201530.tif 000004
【図４】
0004201530.tif 000005